(57)【要約】【課題】汚物の感触が手に伝わりにくいと共に、汚物を収容したまま排水処理できる汚物処理袋を提供する。【解決手段】汚物処理袋１は、犬の糞等の汚物を捕集するために使用される水溶性の汚物捕集部材２と、捕集した汚物を汚物捕集部材ごと収容する水溶性の汚物収容部材３とが略直線状のミシン目５によって分離可能に結合して構成されている。また、汚物捕集部材２には、互いに係合して汚物捕集部材をＵ字形状にならしめる切れ込み４が、ミシン目５から離れた位置の外縁に形成されている。また、汚物収容部材３のミシン目５付近に貫通孔６が形成されている。ミシン目５に沿って汚物捕集部材２と汚物収容部材３とを分離し、汚物捕集部材２に形成された切れ込み４同士を係合させて、汚物捕集部材２をＵ字形状と成し、スコップですくうようにＵ字形状と成した汚物捕集部材２で糞７をすくう。【選択図】図１
2007159538.tif 000002
【特許請求の範囲】
【請求項１】
水溶性の汚物捕集部材と、水溶性の汚物収容部材とが分離可能に結合されている、汚物を収容して破棄するための汚物処理袋であって、
前記汚物捕集部材を略Ｕ字形状にならしめるＵ字形状形成手段が前記汚物捕集部材に形成されている
汚物処理袋。
【請求項２】
前記汚物捕集部材と前記汚物収容部材との結合部が略直線状であると共に前記汚物収容部材の同結合部近辺に貫通孔が形成されている
請求項１に記載の汚物処理袋。
【請求項３】
前記Ｕ字形状形成手段が、前記汚物捕集部材の２つの縁に形成された切れ込みである
請求項１または請求項２に記載の汚物処理袋。
【請求項４】
前記切れ込みが、前記汚物捕集部材と前記汚物収容部材との結合部から離れた位置に形成されている
請求項３に記載の汚物処理袋。
【請求項５】
前記汚物捕集部材にスリットが形成されていると共に、同スリットは前記切れ込み同士を係合させた場合に前記汚物捕集部材の前記切れ込み付近の角が入る位置に形成されている
請求項３に記載の汚物処理袋。
【発明の詳細な説明】
【技術分野】
【０００１】
本発明は汚物処理袋に関する。詳しくは、犬等の愛玩動物の糞等の汚物を収容して、そのまま水洗トイレに破棄できる汚物処理袋に係るものである。
【背景技術】
【０００２】
犬を散歩させていて犬が糞をした場合、犬を散歩させている者が糞を回収しておくことは、最低限のマナーである。
【０００３】
そこで、犬の散歩時に犬の糞を処理する方法の一つとして、犬を散歩させている者は、ビニール袋を携帯し、犬が糞をした際には、片方の手をビニール袋に入れて、ビニール袋ごと犬の糞を掴み、その後ビニール袋を裏返してビニール袋内に糞を入れ、糞を収容したビニール袋を適切な場所で破棄する方法が用いられていた。
【０００４】
また、他の処理方法として、犬を散歩させている者は、トングとビニール袋とを携帯し、犬が糞をした際には、トングで糞を挟み、糞をビニール袋内に入れ、糞を収容したビニール袋を適切な場所で破棄する方法が用いられていた。
【０００５】
しかし、これらいずれの方法でも、ビニール袋に入れられた糞等の汚物は、生ゴミの回収日まで家庭等で保管せざるを得ず、悪臭や不衛生な環境の原因となる場合が多かった。
【０００６】
そこで、回収した汚物を袋のまま排水処理できる様々な技術が提案されている。例えば、特許文献１には、水溶性の抗菌便座シート用紙を使用した上面のない長方四角形の袋状であって、汚物の量に応じて処理紙部１０１、処理紙部１０２、処理紙部１０３を適宜ミシン目１０４、ミシン目１０５、ミシン目１０６、ミシン目１０７、ミシン目１０８に沿って切り離すことにより、袋部１０９及びストラップ部１１０から成る汚物処理用品が記載されている。このような汚物処理用品によって、ストラップ部双方の先端を結んでハンドバッグを持つようにして持ち運びすることができ、人の手を殆ど汚すことなく汚物を持ち帰ることができ、さらに家庭用トイレから下水処理することにより汚物の後処理が簡単にでき、衛生面にも貢献することになる。従来の汚物処理用品の概略図を図３に示す。
【０００７】
【特許文献１】実用新案登録第３０３８６５２号明細書
【発明の開示】
【発明が解決しようとする課題】
【０００８】
しかしながら、従来の汚物処理用品では、糞を処理紙にて掴んで袋部に入れるので、紙を介しているとはいえ、糞の感触が手に伝わって不快感を覚えると共に手を汚すおそれがあった。また、犬の糞が水分の比較的少ない糞であれば掴みやすいが、犬の糞が水分を多く含む下痢便の場合、処理紙にて掴んで糞を捕集することが困難であった。
【０００９】
本発明は、以上の点に鑑みて創案されたものであり、汚物の感触が手に伝わりにくいと共に、汚物を収容したまま排水処理できる汚物処理袋を提供することを目的とする。
【課題を解決するための手段】
【００１０】
上記の目的を達成するために、本発明の汚物処理袋は、水溶性の汚物捕集部材と、水溶性の汚物収容部材とが分離可能に結合されている、汚物を収容して破棄するための汚物処理袋であって、前記汚物捕集部材を略Ｕ字形状にならしめるＵ字形状形成手段が前記汚物捕集部材に形成されている。
【００１１】
ここで、汚物捕集部材を略Ｕ字形状にならしめるＵ字形状形成手段によって、汚物捕集部材をスコップのように使うことができ、手で汚物を掴むことなく汚物を捕集することができる。
【００１２】
また、本発明の汚物処理袋において、汚物捕集部材と汚物収容部材との結合部が略直線状であると共に汚物収容部材の結合部近辺に貫通孔が形成されている場合、貫通孔に指を通して、汚物を収容した汚物収容部材を手提げ袋のように持ち運びやすくできると共に、把持部が略直線状なので、把持部がアーチ状のものに比べて強度が大きい。
【００１３】
更に、本発明の汚物処理袋において、Ｕ字形状形成手段が、汚物捕集部材の２つの縁に形成された切れ込みである場合、切れ込み同士を係合させることで、汚物捕集部材を略Ｕ字形状にならしめることができ、また、本発明の汚物処理袋の製造上、特別な処理や部材を必要とすることなくＵ字形状形成手段を形成できる。
【００１４】
また、本発明の汚物処理袋において、切れ込みが、汚物捕集部材と汚物収容部材との結合部から離れた位置に形成されている場合、切れ込みが結合部付近に形成されている場合に比べて強い強度を保つことができる。
【００１５】
また、本発明の汚物処理袋において、汚物捕集部材にスリットが形成されていると共に、スリットは切れ込み同士を係合させた場合に汚物捕集部材の切れ込み付近の角が入る位置に形成されている場合、係合させた箇所が丸みを帯び、手で持ちやすくなる。
【発明の効果】
【００１６】
本発明に係る汚物処理袋は、汚物の感触が手に伝わりにくいと共に、汚物を収容したまま排水処理できる。
【発明を実施するための最良の形態】
【００１７】
以下、本発明の実施の形態について図面を参照しながら説明し、本発明の理解に供する。図１は、本発明を適用した汚物処理袋の一実施態様と一使用態様を示す概略図である。
【００１８】
図１（ａ）において、汚物処理袋１は、犬の糞等の汚物を捕集するために使用される水溶性の汚物捕集部材２と、捕集した汚物を汚物捕集部材ごと収容する水溶性の汚物収容部材３とが略直線状のミシン目５を介して分離可能に結合して構成されている。また、汚物捕集部材２には、互いに係合して汚物捕集部材をＵ字形状にならしめる切れ込み４（これはＵ字形状形成手段の一例である。）が、ミシン目５から離れた位置の２つの外縁にそれぞれ形成されている。また、汚物収容部材３のミシン目５付近に貫通孔６が形成されている。
【００１９】
また、水溶性の汚物捕集部材２と水溶性の汚物収容部材３は、どちらも三島製紙株式会社製の水溶紙（品種：６０ＣＤ−２、溶解速度：６０秒）によって構成されている。
【００２０】
ここで、汚物捕集部材２と汚物収容部材３とが分離可能に結合されていれば、必ずしもミシン目によって結合されていなくてもよく、またミシン目は必ずしも略直線状でなくてもよく、例えばアーチ状でもよいが、略直線状の方がアーチ状よりも強度が強いので好ましい。
【００２１】
また、汚物捕集部材をＵ字形状にならしめるのであれば、必ずしも切れ込みが形成されていなくてもよく、例えば雄型面ファスナーと雌型面ファスナーとが同一平面上の左右に取り付けられていたり、雄型スナップボタンと雌型スナップボタンとが同一平面上の左右に取り付けられていたりしてもよい。
【００２２】
また、汚物捕集部材と汚物収容部材とが水溶性であれば、汚物捕集部材と汚物収容部材は、必ずしも三島製紙株式会社製の水溶紙（品種：６０ＣＤ−２、溶解速度：６０秒）で構成されていなくてもよいが、溶解速度が速すぎる（３５秒以内）水溶性の材質で構成されていると不都合が生じるので、溶解速度が６０秒以上の水溶性の材質で構成されていることが好ましい。
【００２３】
次に、本発明を適用したい汚物処理袋の使用例を説明する。
散歩させている犬が糞をした場合、携帯していた本発明を適用した汚物処理袋１を取り出し、図１（ｂ）に示すように、ミシン目５に沿って汚物捕集部材２と汚物収容部材３とを分離する。次に、汚物捕集部材２に形成された切れ込み４同士を係合させて、汚物捕集部材２を図１（ｃ）のようなＵ字形状と成し、係合した部分を手で持ってスコップですくうようにＵ字形状と成した汚物捕集部材２で糞７をすくうか、または係合されていない汚物捕集部材の外縁同士でトングのように糞７を挟んで糞７を捕集し、そして糞７のみを汚物収容部材３に入れるか、または糞７と共に汚物捕集部材２も汚物収容部材３に入れ、汚物収容部材３の貫通孔６に指を通して、手提げのように糞７を収容した汚物収容部材３を持ち運び、公衆トイレや家庭のトイレに、糞７を収容した汚物収容部材３をそのまま流して処理する。
【００２４】
図２に、本発明を適用した汚物処理袋の他の実施態様を示す概略図を示す。図２（ａ）に示された本発明を適用した汚物処理袋は、各切れ込み４付近に、各切れ込み４に対して略平行にスリット８が形成されている点でのみ、図１に示された汚物処理袋と異なる。スリット８は切れ込み４同士を係合させた場合に汚物捕集部材２の切れ込み４付近の角が入る位置に形成されている。
【００２５】
また、図２（ｂ）に示すように、汚物収容部材３から切り離された汚物捕集部材２を、切れ込み４同士を係合させてＵ字形状にならしめ、図２（ｃ）に示すように、汚物捕集部材２の切れ込み４付近の角をスリット８に入れる。
【００２６】
このように、本発明を適用した汚物処理袋は、水溶性の汚物捕集部材と、水溶性の汚物収容部材とが分離可能に結合され、汚物捕集部材をＵ字形状にならしめるＵ字形状形成手段が汚物捕集部材に形成されているので、汚物捕集部材を汚物収容部材から分離させ、汚物捕集部材をスコップのように使うことができ、手で汚物を掴むことなく汚物をすくって捕集できるため、汚物の感触が手に伝わりにくいと共に、汚物を収容したまま排水処理できる。また、汚物捕集部材はＵ字形状になっているので、係合されていない２つの外縁でトングのように糞を挟んで捕集することもできる。
【００２７】
また、汚物捕集部材と汚物収容部材との結合部であるミシン目が略直線状であると共に汚物収容部材の結合部近辺に貫通孔が形成されているので、貫通孔に指を通して、汚物を収容した汚物収容部材を手提げ袋のように持ち運びやすくできると共に、把持部が略直線状なので、把持部がアーチ状のものに比べて強度が大きい。
【００２８】
更に、Ｕ字形状形成手段が、汚物捕集部材の２つの縁に形成された切れ込みなので、切れ込み同士を係合させることで、汚物捕集部材をＵ字形状にならしめることができ、また、本発明の汚物処理袋の製造上、特別な処理や部材を必要とすることなくＵ字形状形成手段を形成できる。
【００２９】
また、汚物捕集部材にスリットが形成されていると共に、スリットは切れ込み同士を係合させた場合に汚物捕集部材の切れ込み付近の角が入る位置に形成されているので、係合させた箇所が丸みを帯び、手で持ちやすくなって、糞を捕集しやすくなる。
【図面の簡単な説明】
【００３０】
【図１】本発明を適用した汚物処理袋の一実施態様と一使用態様を示す概略図である。
【図２】本発明を適用した汚物処理袋の他の実施態様を示す概略図である。
【図３】従来の汚物処理用品の概略図である。
【符号の説明】
【００３１】
１    汚物処理袋
２    汚物捕集部材
３    汚物収容部材
４    切れ込み
５    ミシン目
６    貫通孔
７    糞
８    スリット
【図１】
2007159538.tif 000003
【図２】
2007159538.tif 000004
【図３】
2007159538.tif 000005